(57)【特許請求の範囲】
【請求項１】
ＣＡＴＶ機器の台座（２）の外周の台座側受け溝（７）に脱着可能であり、防水ブーツ（６）を脱着可能なアダプタ（４）であって、
前記アダプタ（４）は、両端開口の中空部（９）と、中空部（９）の開口方向一端側の差込み端部（１０）と、開口方向他端側にブーツ受け溝（１１）を備え、
前記中空部（９）は前記差込み端部（１０）を台座側受け溝（７）に差込むと、少なくとも前記台座（２）及びそれに突設された接続端子（３）の外周を被覆できる大きさと長さであり、
前記差込み端部（１０）は前記台座側受け溝（７）に差込み固定可能な径のリング状であり、
前記ブーツ受け溝（１１）は筒状の外壁（１５）と、当該外壁（１５）の下端よりも下方まで突出している筒状の内壁（１４）の間にあり、前記台座（２）に接続される中継部品（５）の外周に被せる防水ブーツ（６）の軸方向一端側の嵌入部（１２）を嵌入可能な径のリング状であって前記台座側受け溝（７）の径よりも大きな径である、
ことを特徴とする防水ブーツ用アダプタ。
【請求項２】
請求項１記載の防水ブーツ用アダプタにおいて、
筒状の内壁（１４）が、防水ブーツ（６）側に向けて先細りテーパーである、
ことを特徴とする防水ブーツ用アダプタ。
【請求項３】
ＣＡＴＶ機器の台座（２）の外周の台座側受け溝（７）に嵌入固定されて、接続端子（３）に連結固定された上中継部品（５ａ）の外周を被覆する上防水ブーツ（１８）の基体受け溝（２０）に嵌入固定可能なアダプタ（４）であり、
前記アダプタ（４）は両端開口の中空部（９）と、中空部（９）の開口方向一端側の差込み端部（１０）と、開口方向他端側にブーツ受け溝（１１）を備え、
前記中空部（９）は、前記差込み端部（１０）を上防水ブーツ（１８）の基体受け溝（２０）に差込むと、前記上中継部品（５ａ）に連結固定された下中継部品（５ｂ）の外周を被覆できる大きさの内径であり、
前記差込み端部（１０）は前記台座側受け溝（７）に差込み固定可能な径のリング状であり、
前記ブーツ受け溝（１１）は筒状の外壁（１５）と、当該外壁（１５）の下端よりも下方まで突出している筒状の内壁（１４）の間にあり、下中継部品（５ｂ）の外周に被せる下防水ブーツ（６）であって前記上防水ブーツ（１８）よりも大径の下防水ブーツ（６）の軸方向一端側の嵌入部（１２）を嵌入可能な径のリング状であり、前記基体受け溝（２０）よりも大きな径である、
ことを特徴とする防水ブーツ用アダプタ。
【請求項４】
請求項３記載の防水ブーツ用アダプタにおいて、
筒状の内壁（１４）が、防水ブーツ（６）側に向けて先細りテーパーである、
ことを特徴とする防水ブーツ用アダプタ。
【請求項５】
ＣＡＴＶ機器の台座（２）、当該台座（２）に突設された接続端子（３）、接続端子（３）に接続された中継部品（５）が防水ブーツ（６）で被覆した中継部品被覆構造であって、
台座（２）の外周の台座側受け溝（７）に、請求項１又は請求項２記載の防水ブーツ用アダプタの差込み端部（１０）が嵌入され、その防水ブーツ用アダプタのブーツ受け溝（１１）に防水ブーツ（６）が嵌入されて、当該防水ブーツ（６）により、前記台座（２）に突設された接続端子（３）、接続端子（３）に接続された中継部品（５）が、台座（２）の外周の台座側受け溝（７）に嵌入された防水ブーツ（６）で被覆された、
ことを特徴とする中継部品被覆構造。
【請求項６】
ＣＡＴＶ機器の台座（２）、当該台座（２）に突設された接続端子（３）、接続端子（３）に上中継部品（５ａ）を接続し、上中継部品（５ａ）に下中継部品（５ｂ）を連結し、前記接続端子（３）及び上中継部品（５ａ）の外周を上防水ブーツ（１８）で被覆し、上防水ブーツ（１８）の下に下防水ブーツ（６）を連結して下中継部品（５ｂ）の外周を被覆した中継部品被覆構造であって、
上防水ブーツ（１８）の基体受け溝（２０）にアダプタ（４）の差込み端部（１０）が差込み固定され、下防水ブーツ（６）が前記アダプタ（４）のブーツ受け溝（１１）に差込み固定されて、上中継部品（５ａ）に連結された下中継部品（５ｂ）、上防水ブーツ（１８）の下に下防水ブーツ（６）を連結して下中継部品（５ｂ）の外周が被覆された、
ことを特徴とする中継部品被覆構造。
【発明の詳細な説明】
【技術分野】
【０００１】
本発明は増幅器やタップオフ等のＣＡＴＶ機器の引込み用の接続端子と、その接続端子に取付けるフィルタ、アッテネータ、ＮＦコネクタ等の中継部品の外周を被覆して雨水や塵芥等の侵入を防ぐＣＡＴＶ機器用防水ブーツを装着するためのアダプタ（防水ブーツ用アダプタ：以下単に「アダプタ」という。）と、中継部品を防水ブーツで被覆した中継部品被覆構造に関する。
【背景技術】
【０００２】
図４（ａ）に示すように、ＣＡＴＶ機器Ａには台座Ｂがあり、台座Ｂから接続端子Ｃが突設されている。通常、接続端子ＣにはＮＦコネクタ（中継部品）Ｄが取り付けられる。図４（ｂ）に示すように、接続端子Ｃとそれに連結されたＮＦコネクタＤの外周に小型防水ブーツＥを被せて、接続端子Ｃや中継部品Ｄに雨水や塵埃等が浸入するのを防止している（特許文献１）。この場合、小型防水ブーツＥはその嵌入部（図４（ａ）（ｂ）では上端部）Ｆが台座Ｂの根元側外周に形成されているリング状の台座側受け溝Ｇに差し込まれる。
【０００３】
ＣＡＴＶ機器Ａの台座Ｂには、図５（ａ）に示すように、フィルタ等の上中継部品Ｈと下中継部品（ＮＦコネクタ）Ｉの双方を接続する場合もある。この場合は図５（ｂ）に示すように、上中継部品Ｈの外周に上防水ブーツＪを被せ、下中継部品（ＮＦコネクタ）Ｉの外周に図４（ａ）の小型防水ブーツＥと同じサイズ（外径）の下防水ブーツＬを被せている。この場合、上防水ブーツＪの嵌入部Ｋを台座Ｂの根元側外周の台座側受け溝Ｇに差し込み、下防水ブーツＬの嵌入部Ｍを上防水ブーツＪのブーツ嵌入溝Ｎに差し込んでいる（特許文献１）。
【先行技術文献】
【特許文献】
【０００４】
【特許文献１】特許第４２６８１８６号公報
【発明の概要】
【発明が解決しようとする課題】
【０００５】
ＮＦコネクタには図４（ａ）に示すような外径の小さなもの（例えば１５ｍｍ程度：小型コネクタ（ＮＦ−５相当以下））から、図４（ｃ）に示すような外径の大きなもの（例えば２０ｍｍ程度：大型コネクタ（ＮＦ−７相当以上））まで各種サイズのものがある。図４（ａ）に示す小型コネクタ用の小型防水ブーツＥは、大型コネクタＰ（図４（ｃ））の外周には被せることができないため、小型防水ブーツＥを大型コネクタＰに被せるためには、小型防水ブーツＥの側面をカットして大型コネクタＰに被せ、その外周にテープを巻いたりしなければならない。これは作業が面倒であるだけでなく、塵芥や雨水等の浸入が生じかねない。
【０００６】
大型コネクタＰの外周に被せることのできる大型防水ブーツＱ（図４（ｄ））を用意すると、大型防水ブーツＱの嵌入部（上端部）Ｒの径が台座側受け溝Ｇの径よりも大きくなって差し込むことができない。この問題を回避するため、台座側受け溝Ｇ（図４（ａ））の径を大きくすることも考えられるが、そのためにはＣＡＴＶ機器Ａを成形するための金型を新たに製作する必要がありコスト高となる。また、台座側受け溝Ｇを大きくしたのでは小型防水ブーツＥは使用できなくなる。
【０００７】
本発明の解決課題は、台座側受け溝の径を変更することなく、中継部品の大小に拘わらず中継部品の外周を被覆することができ、大型防水ブーツを差し込んで取り付けることができるようにすることにある。
【課題を解決するための手段】
【０００８】
［防水ブーツ用アダプタ１］
本発明の防水ブーツ用アダプタは、ＣＡＴＶ機器の台座の外周の台座側受け溝に脱着可能であり、防水ブーツを脱着可能なアダプタであって、両端開口の中空部を備えた基体の開口方向一端側に差込み端部があり、開口方向他端側にブーツ受け溝があり、前記差込み端部は前記台座側受け溝に差込み固定可能な径のリング状であり、前記ブーツ受け溝は防水ブーツの嵌入部を嵌入固定可能な径のリング状であり、前記基体の中空部は基体の差込み端部を台座側受け溝に差込むと、少なくとも前記台座及びそれに突設された接続端子の外周を被覆できる大きさと長さにしたものである。ブーツ受け溝の径は台座側受け溝の径よりも大きくして、大型中継部品に被せた大型ブーツを装着可能としてある。基体の差込み端部は台座側受け溝に嵌入固定した上防水ブーツの基体受け溝に嵌入固定可能な径のリング状にすることもできる。
【０００９】
［防水ブーツ用アダプタ２］
本発明の防水ブーツ用アダプタは、基体に外壁と内壁で構成されるブーツ受け溝があり、少なくとも内壁がブーツ差込み側に向けて先細りテーパーのものであってもよい。
【００１０】
［防水ブーツ用アダプタ３］
本発明の防水ブーツ用アダプタは、ブーツ受け溝を基体の開口方向上下に二段以上設けたものであってもよい。
【００１１】
［中継部品被覆構造１］
本発明の被覆構造は、ＣＡＴＶ機器の台座、当該台座に突設された接続端子、接続端子に接続された中継部品を防水ブーツで被覆した中継部品被覆構造であって、アダプタが前記台座の外周の台座側受け溝に差込み固定され、前記防水ブーツの嵌入部が前記アダプタのブーツ受け溝に嵌入固定されて、前記台座と接続端子と当該接続端子に接続された中継部品が当該防水ブーツにより被覆された中継部品被覆構造である。
【００１２】
［中継部品被覆構造２］
本発明の被覆構造は、ＣＡＴＶ機器の台座、当該台座に突設された接続端子、接続端子に上中継部品を接続し、上中継部品に下中継部品を連結し、前記接続端子及び上中継部品の外周を上防水ブーツで被覆し、上防水ブーツの下に下防水ブーツを連結して下中継部品の外周を被覆した中継部品被覆構造であって、前記上防水ブーツの基体受け溝にアダプタの差込み端部が差込み固定され、下防水ブーツが前記アダプタのブーツ受け溝に差込み固定されて、上中継部品に連結された下中継部品の外周が被覆された中継部品被覆構造である。
【発明の効果】
【００１３】
本発明の防水ブーツア用ダプタは次の効果がある。
（１）既存のＣＡＴＶ機器の台座の外周の台座側受け溝に差し込み可能であるため、既存のＣＡＴＶ機器をそのまま使用でき、ＣＡＴＶ機器を設計変更する必要がなく、金型を製作する必要もなく、経済的である。
（２）アダプタのブーツ受け溝の径が台座側受け溝の径よりも大きいので、そのブーツ受け溝に小型防水ブーツよりも径の大きな大型防水ブーツを嵌入して、接続端子に接続された大型中継部品の外周を被覆することができる。
（３）大型中継部品の外周に被せることのできる大型防水ブーツを嵌入できるため、従来のように、小型防水ブーツの側面をカットしてコネクタに被せるとか、カットした防水ブーツの外周にテープを巻くなどの処理も不要であるため、防水ブーツを被せるのに手間がかからず、浸水のおそれもない。
【００１４】
本発明の中継部品被覆構造は次の効果がある。
（１）ブーツ受け溝の径が台座側受け溝の径よりも大きいアダプタを、台座側受け溝に嵌入固定してあるので、ＣＡＴＶ機器の接続端子に大型中継部品を接続しても、その外周に大型防水ブーツを被せて、大型防水ブーツの嵌入部をブーツ受け溝に嵌入固定することができ、防水ブーツの内側への塵芥や雨水等の浸入を防止することができる。
（２）台座に上防水ブーツを被せて上中継部品を被覆し、その上防水ブーツにアダプタを連結し、そのアダプタに下防水ブーツを連結してあるので、上中継部品とそれに連結された下中継部品を確実に被覆して、両防水ブーツの内側への塵芥や雨水等の浸入を防止することができる。
【図面の簡単な説明】
【００１５】
【図１】（ａ）（ｂ）は本発明のアダプタと、それを使用した被覆構造の説明図であって、（ａ）は被覆前の説明図、（ｂ）は被覆時の説明図。
【図２】（ａ）（ｂ）は本発明のアダプタの他例を示す説明図。
【図３】台座側受け溝に上防水ブーツを差込み、その上防水ブーツの基体受け溝に本発明のアダプタを差込み、そのアダプタのブーツ受け溝に下防水ブーツを嵌入する場合の説明図であって、（ａ）は被覆前の説明図、（ｂ）は被覆時の説明図。
【図４】従来の接続端子及び中継部品の被覆構造を示すものであって、（ａ）（ｂ）は小型防水ブーツを小型コネクタの外側に被せる場合の説明図、（ｃ）は小型防水ブーツを大型コネクタの外側に被せる場合の説明図、（ｄ）は大型防水ブーツを大型コネクタの外側に被せる場合の説明図。
【図５】従来の接続端子及び中継部品の被覆構造を示すものであって、（ａ）は被覆前の説明図、（ｂ）は被覆時の説明図。
【発明を実施するための形態】
【００１６】
（アダプタの実施形態１）
本発明のアダプタと、防水ブーツを使用した中継部品被覆構造の一例を図１（ａ）（ｂ）を参照して説明する。
【００１７】
図１（ａ）（ｂ）において、１はＣＡＴＶ機器、２は台座、３は接続端子、４が本発明のアダプタ、５は中継部品の一つであるＮＦコネクタ、６が防水ブーツである。台座２の根元側外周に台座側受け溝７が形成されている。この台座側受け溝７は従来の台座側受け溝Ｇ（図４（ａ）（ｂ））と同様に、小型コネクタを差込み可能なサイズのリング状である。
【００１８】
図１（ａ）（ｂ）に示すアダプタ４は樹脂製或いは金属製の基体８内に中空部９があり、その両端が開口されており、開口方向一端側に差込み端部１０があり、開口方向他端側にブーツ受け溝１１がある。差込み端部１０は前記台座側受け溝７に差し込んで固定可能なリング状であり、ブーツ受け溝１１は防水ブーツ６の嵌入部１２を嵌入固定可能なリング状である。ブーツ受け溝１１の径は台座側受け溝７の径よりも大きく、基体８の中空部９は前記差込み端部１０を台座側受け溝７内に差し込むと、少なくとも、前記台座２及び接続端子３の外周をカバーできる広さと長さにしてある。
【００１９】
差込み端部１０は円形リング状であり、リング状の台座側受け溝７内に差し込み（圧入）可能である。この差込み端部１０を台座側受け溝７に圧入すると、差込み端部１０が台座２の外周面と、台座側受け溝７の外側のリング状の外周壁１３に挟まれて、アダプタ４がＣＡＴＶ機器１に固定されるようにしてある。
【００２０】
図１（ａ）（ｂ）に示すブーツ受け溝１１は円形リング状であり、内壁１４と外壁１５の間に形成されており、防水ブーツ６の嵌入部１２を嵌入可能な溝幅にしてある。このブーツ受け溝１１の径は台座側受け溝７の径よりも大きくしてある。前記内壁１４は外壁１５よりも長くして、ＣＡＴＶ機器１の接続端子３の外周まで被さるようにしてある。
【００２１】
前記防水ブーツ６はその長手方向一端部１６が先細りの筒状チューブであり、ＣＡＴＶ機器１の接続端子３及びそれに接続される中継部品５の外側に被せて塵芥や雨水等が内側に浸入を防止するものである。防水ブーツ６はその嵌入部１２をアダプタ４のブーツ受け溝１１に押し込むと、嵌入部１２が内壁１４と外壁１５に挟まれて防水ブーツ６がブーツ受け溝１１に保持されるようにしてある。図１（ａ）（ｂ）、図２（ａ）ではアダプタ４の内壁１４の長さを外壁１５の長さよりも若干長くして、防水ブーツ６を内壁１４に沿ってブーツ受け溝１１内に押し込み易くしてあるが、内壁１４と外壁１５は同じ長さにするとか、外壁１５を内壁１４より長くすることもできる。
【００２２】
（アダプタの実施形態２）
本発明のアダプタ４の実施形態２を図２（ａ）に基づいて説明する。図２（ａ）に示すアダプタ４の基本的構成は図１（ａ）のアダプタ４と同じであり、異なるのは内壁１４を下側に向けて次第に先細りとなるテーパーにしたことである。この場合、外壁１５もテーパー状とすることもできるが、図２（ａ）では直管状としてある。テーパーにすることによって、防水ブーツを差込み易くしてある。
【００２３】
本発明のアダプタ４の実施形態３を図２（ｂ）に基づいて説明する。前記実施形態１、２のアダプタ４はブーツ受け溝１１が基体８の一端側に一つだけ設けられている場合であるが、ブーツ受け溝１１は図２（ｂ）に示すように、異なる径のものを二段以上設けることもできる。この場合、上段のブーツ受け溝１１ａを大型防水ブーツの嵌入部Ｒ（図４（ｄ））を差込み可能な径とし、下段のブーツ受け溝１１ｂを小型防水ブーツの嵌入部Ｆ（図４（ａ））を差込み可能な径としてある。このような構成とすることにより、いずれか一方のブーツ受け溝１１ａ（１１ｂ）を選択使用することも、双方のブーツ受け溝１１ａ、１１ｂを同時に利用することもできる。後者の場合、二重の防水構造となるため防水効果が高まる。図２（ｂ）に示すアダプタ４は、前記二段構成以外の構成は、図１（ａ）のアダプタ４の構成と同じである。
【００２４】
（中継部品被覆構造の実施形態１）
本発明の中継部品被覆構造の実施形態の一例を図１（ａ）（ｂ）に基づいて説明する。図１（ａ）（ｂ）に示すものは、ＣＡＴＶ機器１の接続端子３に本発明のアダプタ４の差込み端部１０をＣＡＴＶ機器１の台座側受け溝７内に圧入して取り付け、そのアダプタ４の内側の接続端子３にＮＦコネクタ（中継部品）５を接続し、ＮＦコネクタ５の外側に被せた防水ブーツ６の嵌入部１２をアダプタ４のブーツ受け溝１１内に嵌入して取り付けて、ＮＦコネクタ５の外側を防水ブーツ６で被覆して、防水ブーツ６内に塵芥や雨水等が侵入しないようにした被覆構造である。
【００２５】
（中継部品被覆構造の実施形態２）
本発明の中継部品被覆構造の他の実施形態を図３（ａ）（ｂ）に基づいて説明する。図３（ａ）（ｂ）に示す実施形態はＣＡＴＶ機器１の接続端子３にフィルタ、アッテネータ等の上中継部品５ａが接続され、上中継部品５ａにＮＦコネクタ（下中継部品）５ｂが接続された場合である。以下の説明では、実施形態１と同様の部分については同じ符号を付し、その詳細な説明は省略する。
【００２６】
図３（ａ）（ｂ）において、１はＣＡＴＶ機器であり、図１（ａ）のＣＡＴＶ機器１と同様に、台座２、接続端子３、台座側受け溝７を備えている。接続端子３には上中継部品５ａが接続され、その外周に上防水ブーツ１８を被せ、その嵌入部１９を台座側受け溝７に圧入して上防水ブーツ１８を台座２に固定してある。
【００２７】
図３（ａ）に示す上防水ブーツ１８は上中継部品５ａの外周を被覆するものであり、円筒状の上部被覆部１８ａと下広がりの裾部１８ｂが一連に設けられている。上部被覆部１８ａの先端側はＣＡＴＶ機器１の台座側受け溝７に挿入可能な嵌入部１９としてある。裾部１８ｂの下端側には基体受け溝２０がリング状に形成されている。本発明のアダプタ４は差込み端部１０が上防水ブーツ１８の基体受け溝２０に差込み固定されている。差込み端部１０は台座側受け溝７内に嵌入固定できるだけでなく、基体受け溝２０に差込んで固定可能なリング状でもある。
【００２８】
図３（ｂ）では、アダプタ４の下方から下中継部品（ＮＦコネクタ）５ｂが差し込まれて上中継部品５ａに連結され、下中継部品５ｂの外周に下防水ブーツ６を被せ、その嵌入部１２をアダプタ４のブーツ受け溝１１内に差し込んで、下防水ブーツ６をアダプタ４に固定してある。
【００２９】
ＣＡＴＶ機器１の台座側受け溝７は従来のＣＡＴＶ機器Ａの台座側受け溝Ｇと同様に小型コネクタを差込み可能なサイズである。図３（ａ）のアダプタ４の差込み端部１０は台座側受け溝７内に差し込むのではなく、上防水ブーツ１８の基体受け溝２０内に圧入可能なものである。この場合、基体受け溝２０の径を台座側受け溝７の径と同じ径にして、台座側受け溝７に差し込み可能なアダプタ４の差込み端部１０を基体受け溝２０に差し込み可能としてある。その基体受け溝２０にアダプタ４の差込み端部１０を差込む（押し込む）と差込み端部１０が基体受け溝２０に取付けられるようにしてある。基体受け溝２０は台座側受け溝７と同じ径にしてアダプタ４の差込み端部１０を差込み可能にしてある。
【００３０】
［アダプタ及び防水ブーツの取付け手順１］
本発明のアダプタを用いて、防水ブーツ６を図１（ｂ）のように取り付ける場合の手順の一例を説明する。ここでは、ＣＡＴＶ機器１の接続端子３に接続するＮＦコネクタ５が大型コネクタであり、防水ブーツ６が大型コネクタの外側に被せることのできるサイズの大型防水ブーツの場合を一例として説明する。
（１）ＣＡＴＶ機器１の台座側受け溝７内に、アダプタ４の差込み端部１０を圧入して、アダプタ４をＣＡＴＶ機器１に取り付ける。
（２）ＮＦコネクタ５の外側に防水ブーツ６を被せ、ＮＦコネクタ５の先端側を防水ブーツ６の上端から引き出して、ＮＦコネクタ５をＣＡＴＶ機器１の接続端子３に接続する。
（３）防水ブーツ６をＣＡＴＶ機器１の接続端子３側に引き戻して、防水ブーツ６をＮＦコネクタ４の外側に被せ、防水ブーツ６の嵌入部１２をアダプタ４のブーツ受け溝１１内に差し込んで防水ブーツ６をアダプタ４に固定して接続端子３及び中継部品５の外周を被覆する。
【００３１】
［アダプタ及び防水ブーツの取付け手順２］
本発明のアダプタを用いて、図３（ｂ）のように、上防水ブーツ１８に下防水ブーツ６を取り付ける場合の手順の一例を説明する。ここでも、ＣＡＴＶ機器１の接続端子３に接続するＮＦコネクタ５が大型コネクタであり、防水ブーツ６が大型コネクタの外側に被せることのできるサイズの大型ブーツの場合を一例として説明する。
（１）ＣＡＴＶ機器１の接続端子３に上中継部品５ａを連結する。
（２）上中継部品５ａの外側に上防水ブーツ１８を被せて、その嵌入部１９を台座側受け溝７内に差し込んで、上防水ブーツ１８を台座側受け溝７に取り付ける。
（３）上防水ブーツ１８の基体受け溝２０内にアダプタ４の差込み端部１０を差込んで、アダプタ４を上防水ブーツ１８に取り付ける。
（４）下中継部品５ｂの外側に下防水ブーツ６を被せ、下中継部品５ｂを防水ブーツ６の先端端側から引き出して、下中継部品５を上中継部品５ａの接続端子１７に接続する。
（５）下防水ブーツ６をアダプタ４側に引き戻して下中継部品５ｂの外側に被せ、下防水ブーツ６の嵌入部１２をアダプタ４のブーツ受け溝１１内に差し込んで、下防水ブーツ６をアダプタ４に固定して下中継部品５ｂの外周を被覆する。
【産業上の利用可能性】
【００３２】
本発明の防水ブーツ取付け具は、ＣＡＴＶ機器の接続端子及び中継部品の被覆用には限られず、任意の電気機器の接続端子やそれに取付けるコネクタの被覆用としても応用することができる。
【符号の説明】
【００３３】
１      ＣＡＴＶ機器
２      台座
３      接続端子
４      アダプタ
５      中継部品（ＮＦコネクタ）
５ａ    上中継部品
５ｂ    下中継部品（ＮＦコネクタ）
６      防水ブーツ（下防水ブーツ）
７      台座側受け溝
８      基体
９      中空部
１０    差込み端部
１１    ブーツ受け溝
１１ａ  （上段の）ブーツ受け溝
１１ｂ  （下段の）ブーツ受け溝
１２    （防水ブーツの）嵌入部
１３    （台座側受け溝の）外周壁
１４    （アダプタの）内壁
１５    （アダプタの）外壁
１６    （防水ブーツの）端部
１７    （上中継部品の）接続端子
１８      上防水ブーツ
１８ａ    上部被覆部
１８ｂ    裾部
１９    （上防水ブーツの）嵌入部
２０    （上防水ブーツの）基体受け溝
Ａ      ＣＡＴＶ機器
Ｂ      台座
Ｃ      接続端子
Ｄ      中継部品（ＮＦコネクタ）
Ｅ      小型防水ブーツ
Ｆ      （小型防水ブーツの）嵌入部
Ｇ      台座側受け溝
Ｈ      上中継部品
Ｉ      下中継部品
Ｊ      上防水ブーツ
Ｋ      （上防水ブーツの）嵌入部
Ｌ      下防水ブーツ
Ｍ      （下防水ブーツの）嵌入部
Ｎ      ブーツ嵌入溝
Ｐ      大型コネクタ
Ｑ      大型防水ブーツ
Ｒ      （大型防水ブーツの）嵌入部
【図１】
0006411979.tif 000002
【図２】
0006411979.tif 000003
【図３】
0006411979.tif 000004
【図４】
0006411979.tif 000005
【図５】
0006411979.tif 000006